(57)【要約】      （修正有）【課題】重度の頑固な肩凝り症に悩む人たちのために、人間よりも長時間、継続して肩たたきができるように動力を用いた肩たたきを提供する。【解決手段】肩たたき機本体２０に、中途が揺動可能に支承される肩たたきアーム８０と、肩たたきアーム８０の先端部分には肩当たり弾性体８２が、末端部分には往復揺動機構が装着されてなる。【選択図】図１
0003180876.tif 000002
【実用新案登録請求の範囲】
【請求項１】
肩たたき機本体に、中途が揺動可能に支承される肩たたきアームと、肩たたき機利用者の両肩部分位置に付設される前記肩たたきアームの先端部分には、肩をたたく肩当たり弾性体が、前記肩たたきアームの端末部分には、往復揺動機構が装着されてなることを特徴とする肩たたき機。
【請求項２】
前記揺動機構がモーターの回転運動を、クランクプレートと偏芯カム軸を介在して直線往復運動に変換する機構から構成されることを特徴とする請求項１に記載の肩たたき機。
【考案の詳細な説明】
【技術分野】
【０００１】本考案は、従来の肩揉み機やマッサージ機ではなく、人の手でたたく、いわゆる肩たたきの機能を、人力ではなく機械でたたく、肩たたき機に関する。
【背景技術】
【０００２】近年、高齢化社会となり、肩こり解消するために、各種の健康機器が盛んに開発されてきた。最近は、若年層の肩凝り症も増加し、整骨院、針灸マッサージ院も大繁盛である。しかしながら、軽度の肩凝りの人には効果があっても、重度の頑固な肩凝り症の人たちには、電気療法や肩揉み療法では、その効果はそれ程期待できないという不満が少なくない。
【先行技術文献】
【特許文献】
【０００３】
【０００４】
【特許文献１】実用新案登録第３０６７６０６号登録公報
【考案の概要】
【考案が解決しようとする課題】
【０００５】本考案者も、町の鍛冶屋職人として、若い頃から大ハンマーを振り回して真っ赤に焼けた鉄をたたいては鍬・鋤など農機具を製作して会社経営にたずさわってきた。これまで何台も市販された健康機器を購入し、肩凝り効果を試してみたが、満足する肩たたき機は見当たらなかった。
本考案は、そうした重度の頑固な肩凝り症に悩む人たちのために、電気療法や肩揉み療法ではなく、人が手でたたくような人間に近い肩たたき機をつくりたいと研究開発し、試行錯誤を繰り返しながら、本考案の頑固な肩凝り症に悩む人たちのための肩たたき機の完成に至った。
【課題を解決するための手段】
【０００６】本考案に係わる肩たたき機は、肩たたき機本体２０に、中途が揺動可能に支承される肩たたきアーム８０と、肩たたき機利用者の両肩部分位置に付設される前記肩たたきアームの先端部分には肩をたたく肩当たり弾性体８２がある。同肩たたきアーム８０の端末部分には、往復揺動機構が装着されてなることを特徴とする肩たたき機で、揺動機搆がモーターの回転運動を、クランクプレート６４と偏芯カム軸６８を介在して直線往復運動に変換する機構から構成される。これらは肩たたきアーム８０に連動しており、機体が常時運動していても、肩たたきを開始しない。これはスプリング８４によって均衡が保たれておりこの状態をニュートラル状態と定義する。
昇降レバー付き椅子２に利用者１が腰掛け、肩たたきアーム８０先端部の肩当たり弾性体８２に肩が接触したときに、均衡は崩れて、肩たたきを開始する。この状態を稼働状態と定義する。利用者１が昇降レバー付き椅子２に腰掛け、肩当たり弾性体８２に軽く接触すれば、軽い肩たたきをする。利用者１が肩当たり弾性体８２に強く接触すれば、強い肩たたきをする。つまり、利用者１が昇降レバー付き椅子２に腰掛け、肩当たり弾性体８２に触れなければ稼働しない。肩当たり弾性体８２に肩が触れてはじめて肩たたきをするという構造になっている。
機体の主軸Ｂ６０に取り付けられたクランクプレート６４には、偏芯量が異なった大小数個の穴があけられており、標準として真ん中の穴に取り付けられている。クランクプレート６４の偏芯量の大小に比例して、シリンダーピストン９０のストローク長は変わる。すなわち、偏芯量が小さい穴に偏芯カム軸６８を入れて使用すれば、シリンダーピストン９０のストローク長が短くなり、連結された肩たたきアーム８０及び肩たたき弾性体８２もストローク長が短くなるので、比較的軽微な肩凝り症の利用者にむく。
逆に、偏芯量が大きな穴に偏芯カム軸６８を入れて使用すれば、シリンダーピストン９０のストローク長が長くなり、連結された肩たたきアーム８０及び肩たたき弾性体８２もストローク長が長くなるので、重度の頑固な肩凝り症に悩む利用者にむく。
なお、すべて機械的な動力伝達なので、シリンダーピストン９０のシリンダーとピストンの間に、肩たたき時の衝撃を緩和するための、衝撃緩和材Ａ８８を入れた。
ところで、モーター３の回転数はモーターＶベルト９によって、モーター回転数可変割プーリー（駆動）７とモーター回転数可変プーリー（従動）８に伝達され、減速されている。モーター３の回転数の増減に比例して、肩たたき機の回数も増減する。例えば、モーター可変回転レバー６を「速」または「遅」に選択することで、モーター３の回転数及び肩たたき回数を増減することができる。最終的には、肩たたきアーム８０及び肩たたき弾性体８２に連動しているので、肩たたき弾性体８２の回転数及び肩たたき回数も、モーター３の回転数の増減に比例して、増減することになる。
老若男女、人それぞれに体型が異なり、座高や肩幅や肩の凝り場所も違っている。前記した肩たたきアーム８０の２つの肩たたきアーム間の間隔については、ノブボルト９３をゆるめて、肩幅微調整六角鋼８３を出し入れすることで、肩凝り部に合わせた微調整ができる。
肩たたきの強弱は、昇降レバー付き椅子２の高さを任意に選択することによって、ニュートラル状態にしたり、稼働状態にしたり、自分の意志で自由にコントロールすることができる。
【考案の効果】
【０００７】本考案に係わる肩たたき機によれば、一方的に、また連続的に、機械や電気などを用いて、振動を加える従来の肩揉み機や電気マッサージ機のように、単調にほぐすやり方ではなく、いわゆる人が手で肩をたたくという肩たたき機の機構を採用しているので、肩や首筋など重度で頑固な肩凝り症に悩まされている利用者の患部に、より断片的に、より強く、肩を刺激し、快適な肩たたきを提供することができる。動力なので人と違い長時間稼働状態にすることができる。【０００８】凝り症の程度に応じて、モーター回転数可変レバーを、「速」又は「遅」に選択することによって、モーター回転数を「増加」又は「減少」と自由に選択できる。モーター回転数を速くするということは、肩たたきアームが利用者の肩をたたく回数が増加することであり、重度の頑固な肩凝り症の利用者にむく。一方、同回転数を遅くするということは、肩たたきアームが利用者の肩をたたく回数が減少することであり、肩凝り症が比較的軽微な利用者にむく。モーター回転数はこのように利用者の凝り症の程度に応じて、好みで自由に選択できる。【０００９】また、凝り症の具合に応じて、強くしたい利用者１は、昇降レバー付き椅子２を上げると肩が上がり、肩当たり弾性体８２を上げるので、強くなる。肩凝り症が比較的少ない利用者は、昇降レバー付き椅子２を下げるとよい。このように、凝り症の具合に応じて、利用者１自身が背伸びしたり、縮めたりすることでも、肩たたきの強弱は得られる。【００１０】クランクプレート６４には、偏芯したクランク穴が数個開いており、真ん中の穴を標準としている。以上の調整の肩たたき機でも肩たたきが強すぎるという、軽微な肩凝り症の人には、現在、セットされた偏芯量よりもさらに小さな穴に偏芯カム軸６８を入れ変えれば、シリンダーピストン９０の往復直線運動がより小さくなり、肩たたきアーム８０及び肩当たり弾性体８２も連動しているので、軽微の凝り症の利用者に最適である。【００１１】しかし、標準仕様の肩たたき機でも、まだまだ肩たたきが弱すぎるという、重度で頑固な肩凝り症の人には、現在、セットされた偏芯量よりもさらに大きな穴に偏芯カム軸６８を入れ変えれば往復直線運動が大きくなり、肩たたきアーム８０及び肩当たり弾性体８２も大きく動くので、重度で頑固な凝り症の利用者にも最適である。【００１２】利用者の両肩付近にある肩当たり弾性体８２の肩幅の微調整については、肩たたきアーム８０の端末部分に肩当たり弾性体８２がある。その弾性体を止めているノブボルト９３をゆるめて、肩幅微調整六角鋼８３を任意の位置に動かして、利用者の肩幅や凝り患部に自由自在に微調整することができる。
【図面の簡単な説明】
【００１３】
【図１】本考案に係る実施例の肩たたき機の使用状況を示す側面図
【図２】肩たたき機の伝達機構を示す説明図
【図３】肩たたき機の稼働状態を示す説明図で、（ａ）は、肩たたき機のニュートラル状態を示し、（ｂ）は、肩たたき機の稼働状態を示す
【図４】肩たたき機のクランク機構を示す説明図で、（ａ）は、肩たたき機のクランク機構を示す側面図、（ｂ）は、肩たたき機のクランク機構を示す背面図
【図５】肩たたき機のモーター回転数の可変速機構を示す説明図で、（ａ）は、側面図、（ｂ）は、（ａ）の可変速機構の要部拡大図
【図６】肩たたき機の肩たたき微調整機構を示す説明図
【図７】肩たたき機の主軸両端に取り付けられたクランクプレートの単品を示す説明図で、（ａ）は、側面図、（ｂ）は、（ａ）の背面図である。
【考案を実施するための形態】
【００１４】次ぎに、本考案に係わる肩たたき機の実施形態を図面に基づいて詳しく説明する。
【実施例】
【００１５】図１は、肩たたき機を側面から見た図である。すなわち利用者１が、昇降レバー付き椅子２を任意の高さに調節して腰掛け、肩たたきアーム８０の先端に設けられた肩当たり弾性体８２に、利用者１が最も肩凝りする部分を接触させた使用状況の図を示す。モーター回転数可変レバー６により、利用者１がモーター３の回転数を速めたり遅くしたりして、肩当たり弾性体８２のたたく回数を増減でき、自由に選択できる構造である。また肩たたき機本体２０には、自由に運搬や移動ができるようにループハンドル３０があり、固定キャスター５１とブレーキ付き回転キャスター５２がある。肩たたき機を稼働時には機体が動かないようにブレーキ付き回転キャスター５２でロックし、さらにノブボルト９３をゆるめて、スタンドパイプ５５をキャスター５１，５２よりも地面に下げて、肩たたき機が動かないように機体を固定してから、肩たたきを開始する。【００１６】図２は、肩たたき機の伝達機構図を示す。モーター３の回転数はモーターＶベルト９によって、モーター回転数可変割プーリー（駆動）７とモーター回転数可変プーリー（従動）８に減速されて、主軸Ａ４０となる。主軸Ａ４０は両端の側板とともにスラストボールベアリング６６で受けている。モーター３の回転数の増減に比例して、肩たたき機のたたく回数も増減する。すなわち、モーター可変回転レバー６を「速」または「遅」に選択することで、モーター３の回転数及び肩たたき回数を増減することができる。詳細は図５（ａ）及び（ｂ）参照。
主軸Ｂ６０に取り付けられたクランクプレート６４には、偏芯量の異なる大小数個の穴があけられており、標準として真ん中の穴に取り付けられている。クランクプレート６４の偏芯量の大小に比例して、シリンダーピストン９０のストローク長は変わる。すなわち、偏芯量が小さい穴に偏芯カム軸６８を入れて使用すれば、シリンダーピストン９０のストローク長が短くなり、連結された肩たたきアーム８０及び肩たたき弾性体８２もストローク長が短くなるので、比較的軽微な肩凝り症の利用者にむく。逆に、偏芯量が大きな穴に偏芯カム軸６８を入れて使用すれば、シリンダーピストン９０のストローク長が長くなり、連結された肩たたきアーム８０及び肩たたき弾性体８２もストローク長が長くなるので、重度の頑固な肩凝り症に悩む利用者むけとなる。
電気系統は１００Ｖ家庭用電源プラグ４につなぐだけ、肩たたき機スイッチ５は「入」「切」だけと高齢者向けのシンプルな配線である。【００１７】図３（ａ）は、肩たたき機のニュートラル状態を示す説明図である。機体は動いているが肩たたきはしていない。中立すなわちニュートラルの状態を示す。また図３（ｂ）は、肩たたき機の稼働状態を示す説明図である。実際に利用者の肩をたたいている状態を示す。
さて、本考案に係わる肩たたき機は、図３（ｂ）のように、利用者１の両肩の部分に付設された肩たたきアーム８０の先端部分には、肩をたたく、肩当たり弾性体８２がある。また、この肩たたきアーム８０の端末部分には、スプリング取り付板２６があり、スプリング８４で引っ張っている状態でつり合っている。利用者１が肩当たり弾性体８２に肩を当てない限り、肩たたき運動はしない。この中立の状態をニュートラル状態と定義する。昇降レバー付き椅子２に利用者１が腰掛け、肩たたきアーム８０先端部の肩当たり弾性体８２に肩が接触したときに、均衡は崩れて、肩たたきを開始する。この状態を稼働状態と定義する。利用者１が昇降レバー付き椅子２に腰掛け、肩当たり弾性体８２に軽く接触すれば、軽い肩たたきをする。利用者１が肩当たり弾性体８２に強く接触すれば、強い肩たたきをする。つまり、利用者１が昇降レバー付き椅子２に腰掛け、肩当たり弾性体８２に触れなければ稼働しない。肩当たり弾性体８２に肩が触れてはじめて肩たたきをするという構造になっている。【００１８】図４は、肩たたき機のクランク機構を示す説明図で、（ａ）は、肩たたき機のクランク機構を示す側面図、（ｂ）は、肩たたき機のクランク機構を示す背面図である。モーター回転数可変割プーリー（駆動）７とモーター回転数プーリー（従動）８で減速し、さらにＶベルト７８によって、主軸Ａプーリー（駆動）４１と、主軸Ｂプーリー（従動）４６に減速され、主軸Ｂ６０となる。主軸Ｂ６０の両端には、クランクプレート６４が付設されている。このクランクプレート６４はカム式になっており、数個の偏芯カム穴が開いている。主軸Ｂ６０に取り付けられたクランクプレート６４には、偏芯量の大小数個の穴があけられており、標準として真ん中の穴に取り付けられている。クランクプレート６４の偏芯量の大小に比例して、シリンダーピストン９０のストローク長は変わる。すなわち、偏芯量が小さい穴に偏芯カム軸６８を入れて使用すれば、シリンダーピストン９０のストローク長が短くなり、連結された肩たたきアーム８０及び肩たたき弾性体８２もストローク長が短くなるので、比較的軽微な肩凝り症の利用者にむく。逆に、偏芯量が大きな穴に偏芯カム軸６８を入れて使用すれば、シリンダーピストン９０のストローク長が長くなり、連結された肩たたきアーム８０及び肩たたき弾性体８２もストローク長が長くなるので、重度の頑固な肩凝り症に悩む利用者にむく。なお、すべて機械式での動力伝達なので、肩への衝撃があまりにも大きい。そこで、シリンダーピストン９０のシリンダーとピストンの空間に、肩たたき時の衝撃を緩和するための、衝撃緩和材Ａ８８を入れている。利用者１が昇降レバー付き椅子２に座り、左右の肩たたきアーム８０の先端に付設された肩当たり弾性体８２に、利用者の肩が触れ始めて、肩たたきが開始する構造になっている。ということは、左右の肩たたき用アーム８０の先端に付設された肩当たり弾性体８２に、利用者１の肩が触れなければ、肩たたきはしないということであり、常時回転してたたく、肩たたき椅子とは違って安心安全である。また、利用者１の座高に合わせて微調整することで、適度な肩たたきの大きさや強さなどを選択することができる。【００１９】図５（ａ）は、図２に図示の肩たたき機の伝達機構図で示せなかった部分を詳細にした図である。家庭用の１００Ｖを電源４で回転するモーター３は、肩たたき機本体２０に固定するのではなく、図のように支点Ａを設けた。モーター回転数可変レバー６を操作することができる構造になっていて、しかもモーター軸には図５（ｂ）にあるように、モーター回転数可変割プーリー（駆動）７の両サイドに、モーター回転数可変スプリング１０が付設してある。いわゆる自動テンション方式を採用した。例えば図５（ｂ）のようにＡ→Ｂ→Ｃと操作すると、支点Ａおよび支点Ｂとともに連動しながらモーター３は主軸Ａ機体後方に動く。モーターＶベルト９のベルトの一定の長さによってモーター回転数可変割プーリー（駆動）７とモーター回転数可変プーリー（従動）８とは連結されている。モーター３が主軸Ａ機体後方に動くと、モーターＶベルト９がモーター軸に取り付けられたモーター回転数可変割プーリー（駆動）７に深く入ろうとして、両端のモーター回転数可変スプリング１０が効いてきて、モーター回転数可変割プーリー（駆動）７の中央部にベルト９が食い込む形になる。図５（ｂ）の「速」のＡ，Ｂ，Ｃ「遅」とベルト９は食い込む。モーター回転数可変割プーリー（駆動）７の直径はＡ，Ｂ、Ｃと小さくなる。モーター回転数が速←→遅となり、最終的には、肩たきアーム８０や肩当たり弾性体に８２の肩をたたく回数が増減できることになる。【００２０】図６は、肩たたき機の肩たたき微調整機構を示す説明図である。利用者１の肩幅や、肩凝り患部にフィットするように、肩幅微調整六角鋼８３のノブボルト９３をゆるめて、微調整後再び、ノブボルトで締め付けて、肩たたきを稼働させる。肩当たり弾性体８２を利用者１の好みに合わせて、肩幅の微調整ができる。【００２１】図７は、図４に図示の肩たたき機のクランク機構を示す説明図では示せなかった、肩たたき機の主軸Ｂ両端に取り付けられたクランクプレート６４の単品図を示す。肩凝り症の程度は各自でことなる。同じ利用者でもその日によっては肩凝り患部が変わることもある。現行の肩たたき機はクランクプレート６４に設けられた偏芯量を例えば３５ｍｍ、４０ｍｍ、４５ｍｍ、５０ｍｍ、５５ｍｍと５個の穴の中で、４５ｍｍで使用する。現行の肩たたき機で満足の得られない利用者１には、偏芯量を４０ｍｍ、３５ｍｍと小さい穴を使えば、肩たたきアーム８０の動きは小さくなる。従って比較的肩凝りが軽微な利用者１に適している。逆に偏芯量を５０ｍｍ、５５ｍｍと大きい穴を使えば、肩たたきアーム８０の動きはより大きくなり、より重度の頑固な肩凝りに悩んでいる利用者１に適している。
【産業上の利用可能性】
【００２２】電気製品として通信販売や実際に製造販売するための肩たたき機にしては、市場価格より高額すぎて価格体系は難しく、売れる商品にはならない。そこで、温泉や銭湯のあるホテルや観光旅館などの施設に設置してもらう方法がある。例えば１５分２００円のように、コイン肩たたき機として貸し出しすることで、製造価格はさして問題にはならない。もちろん電気代や維持管理費などがかかるので、ホテルや観光旅館などの経営施設にもメリットがあるような価格システムを構築しなければならないが、製造販売者、観光旅館や銭湯などの経営者そして、頑固な肩凝り症に悩むお客さんの三者がいわゆる三方よし論になればと願っている。
【符号の説明】
【００２３】  １  利用者
２  昇降レバー付き椅子
３  モーター
４  １００Ｖ電源プラグ
５  肩たたき機スイッチ
６  モーター回転数可変レバー
７  モーター回転数可変割プーリー（駆動）
８  モーター回転数可変プーリー（従動）
９  モーターＶベルト
１０  モーター回転数可変スプリング
１５  足乗せ台
２０  肩たたき機本体
２６  スプリング取付板
３０  ループハンドル
４０  主軸Ａ
４１  主軸Ａプーリー（駆動）
４６  主軸Ｂプーリー（従動）
５１  固定キャスター
５２  ブレーキ付き回転キャスター
５５  スタンドパイプ
６０  主軸Ｂ
６１  主軸Ｂ  六角鋼
６４  クランクプレート
６６  スラストボールベアリング
６８  偏芯カム軸
６９  主軸Ｂ  プーリー
７８  Ｖベルト
８０  肩たたきアーム
８２  肩当たり弾性体
８３  肩幅微調整六角鋼
８４  スプリング
８５  ピローブロック（ボールベアリング）
８７  ユニバーサルジョイント
８８  衝撃緩衝材Ａ
８９  衝撃緩衝材Ｂ
９０  シリンダーピストン
９３  ノブボルト
９６  肩たたき支点軸
９７  肩たたき支点カラー
【図１】
0003180876.tif 000003
【図２】
0003180876.tif 000004
【図３】
0003180876.tif 000005
【図４】
0003180876.tif 000006
【図５】
0003180876.tif 000007
【図６】
0003180876.tif 000008
【図７】
0003180876.tif 000009